(57)【要約】【課題】燃料受入中に燃料の払出ができないＬＮＧ基地での燃料受入と燃料払出を計画するエネルギー需給計画装置を得る。【解決手段】タンクグルーピング手段２により、ＬＮＧ基地のタンクについて、一括して燃料受入を行なうための受入タンクグループと、各タンクからの燃料の混合によって燃料払出に適する払出タンクグループとにグルーピングし、このグルーピングされた受入タンクグループに対するＬＮＧ船からの燃料受入の開始および終了のタイミングを、燃料受入タイミング決定手段３により決めるとともに、燃料払出計画手段４により、払出タンクグループの各タンクの燃料の混合比を予め定義した混合比テーブルを用いて、払出タンクグループの各タンクからの燃料払出を計画するようにした。【選択図】図１
2018206276.tif 000002
【特許請求の範囲】
【請求項１】
燃料基地のタンクへの燃料受入およびタンクからの燃料払出を計画するエネルギー需給計画装置であって、
燃料基地のタンクについて、一括して燃料受入を行なうための受入タンクグループと、各タンクからの燃料の混合によって燃料払出に適する払出タンクグループとにグルーピングするタンクグルーピング手段、
燃料運搬手段から上記受入タンクグループへの燃料受入の開始および終了のタイミングを決める燃料受入タイミング決定手段、
および上記払出タンクグループの各タンクの燃料の混合比を予め定義した混合比テーブルを有し、この混合比テーブルにしたがって、上記払出タンクグループの各タンクからの燃料払出を計画する燃料払出計画手段を備えたことを特徴とするエネルギー需給計画装置。
【請求項２】
上記燃料受入タイミング決定手段は、上記受入タンクグループまたは上記払出タンクグループの燃料の残量に基づいて、上記燃料受入の開始および終了のタイミングを決めることを特徴とする請求項１に記載のエネルギー需給計画装置。
【請求項３】
上記タンクグルーピング手段は、上記タンクを当該タンク内の燃料の熱量によって上記受入タンクグループに分けることを特徴とする請求項１または請求項２に記載のエネルギー需給計画装置。
【請求項４】
上記燃料運搬手段の燃料の熱量が、燃料基地の受入タンクグループの燃料の熱量と異なる場合に、別途設けた受入条件にしたがって、上記燃料運搬手段から上記受入タンクグループへの燃料受入を計画する燃料受入計画手段を備えたことを特徴とする請求項３に記載のエネルギー需給計画装置。
【請求項５】
燃料の受入と払出を同時に行えない燃料基地については、当該燃料基地がＬＰＧ添加による燃料調整が可能であるか否かに応じて、燃料受入を行なう上記受入タンクグループの受入対象タンクを調整する燃料受入タンク調整手段を備えたことを特徴とする請求項１から請求項４のいずれか一項に記載のエネルギー需給計画装置。
【発明の詳細な説明】
【技術分野】
【０００１】
この発明は、ＬＮＧ（Ｌｉｑｕｅｆｉｅｄ  Ｎａｔｕｒａｌ  Ｇａｓ）基地の燃料需給計画を策定するエネルギー需給計画装置に関するものである。
【背景技術】
【０００２】
従来のエネルギー需給計画装置では、電力取引／燃料取引／蒸気供給を考慮した上で、収益最大となるように電力需給計画／燃料需給計画／蒸気需給計画を策定している。（例えば、特許文献１参照）
【先行技術文献】
【特許文献】
【０００３】
【特許文献１】特願２０１６−０７６２９８号
【発明の概要】
【発明が解決しようとする課題】
【０００４】
ＬＮＧ基地は、基地内のタンクの運用ルール上、タンクの燃料の受入中に、燃料の払出可能な基地と、不可能な基地に大別される。
タンクの燃料の受入中でも払出が可能な基地においては、燃料の受入・払出は、払出先に紐付くタンクで一斉に行われるため、タンク内の燃料の熱量や、残量は各タンクで均一となる。
一方、タンクの燃料の受入中に払出が行えない基地においては、受入中のタンクは、払出対象タンクにできない等の制約があるため、同じ払出先であっても、タンク内の燃料の熱量および残量は、タンク毎に異なる性質をもつ。
燃料受入の際には、タンク内の燃料の熱量に応じて、受入対象タンクを選択し、払出の際には、熱量の異なる燃料を混合させ、さらにはＬＰＧ（Ｌｉｑｕｅｆｉｅｄ  Ｐｅｔｒｏｌｅｕｍ  Ｇａｓ）を添加することで、発電所が運転可能な燃料を、発電所に払出するといった形式をとる。但し、払出先は発電所に限定しない。
燃料需給計画策定の際は、ＬＮＧ基地毎に異なる運用制約を考慮する必要があるが、従来の技術では、タンクの燃料受入中に払出可能な基地の運用制約のみの考慮に留まっており、様々なＬＮＧ基地の実運用に沿った計画策定ができないという問題があった。
【０００５】
この発明は、上記のような課題を解決するためになされたものであり、燃料受入中に燃料の払出ができないＬＮＧ基地での燃料受入と燃料払出を計画するエネルギー需給計画装置を得ることを目的とする。
【課題を解決するための手段】
【０００６】
この発明に係わるエネルギー需給計画装置においては、燃料基地のタンクへの燃料受入およびタンクからの燃料払出を計画するエネルギー需給計画装置であって、燃料基地のタンクについて、一括して燃料受入を行なうための受入タンクグループと、各タンクからの燃料の混合によって燃料払出に適する払出タンクグループとにグルーピングするタンクグルーピング手段、燃料運搬手段から受入タンクグループへの燃料受入の開始および終了のタイミングを決める燃料受入タイミング決定手段、および払出タンクグループの各タンクの燃料の混合比を予め定義した混合比テーブルを有し、この混合比テーブルにしたがって、払出タンクグループの各タンクからの燃料払出を計画する燃料払出計画手段を備えたものである。
【発明の効果】
【０００７】
この発明によれば、燃料基地のタンクへの燃料受入およびタンクからの燃料払出を計画するエネルギー需給計画装置であって、燃料基地のタンクについて、一括して燃料受入を行なうための受入タンクグループと、各タンクからの燃料の混合によって燃料払出に適する払出タンクグループとにグルーピングするタンクグルーピング手段、燃料運搬手段から受入タンクグループへの燃料受入の開始および終了のタイミングを決める燃料受入タイミング決定手段、および払出タンクグループの各タンクの燃料の混合比を予め定義した混合比テーブルを有し、この混合比テーブルにしたがって、払出タンクグループの各タンクからの燃料払出を計画する燃料払出計画手段を備えたので、燃料受入中に燃料の払出ができない燃料基地の燃料受入と燃料払出を計画することができる。
【図面の簡単な説明】
【０００８】
【図１】この発明の実施の形態１によるエネルギー需給計画装置の構成を示すブロック図である。
【図２】この発明の実施の形態１によるエネルギー需給計画装置のハードウェア構成を示す図である。
【図３】この発明の実施の形態１によるエネルギー需給計画装置の燃料需給計画の策定方法を示すフローチャートである。
【図４】この発明の実施の形態１によるエネルギー需給計画装置のＬＮＧ基地のタンク受払運用の模擬方法を示す概要図である。
【図５】この発明の実施の形態１によるエネルギー需給計画装置のタンクの受入開始・終了タイミングおよび払出停止タイミングを決定する際の指標値を示す概要図である。
【図６】この発明の実施の形態１によるエネルギー需給計画装置のタンク受入タイミングの決定方法を示すフローチャートである。
【図７】この発明の実施の形態１によるエネルギー需給計画装置のＬＮＧ船入船時の燃料受入を行なう受入タンクグループの決定方法を示すフローチャートである。
【図８】この発明の実施の形態１によるエネルギー需給計画装置の払出タンクグループ毎の払出熱量の決定方法を定義した混合比テーブルを示す図である。
【図９】この発明の実施の形態２によるエネルギー需給計画装置の構成を示すブロック図である。
【図１０】この発明の実施の形態２によるエネルギー需給計画装置の燃料受入方法を示す図である。
【図１１】この発明の実施の形態３によるエネルギー需給計画装置の構成を示すブロック図である。
【図１２】この発明の実施の形態３によるエネルギー需給計画装置のＬＰＧによる熱量調整を考慮したときの受入タンクグループの決定方法を示すフローチャートである。
【発明を実施するための形態】
【０００９】
実施の形態１．
エネルギー需給計画装置は、電力取引／燃料取引／蒸気供給を考慮した上で収益最大となるように電力需給計画／燃料需給計画／蒸気需給計画を策定する。ここでは、とくに燃料需給計画について説明する。
【００１０】
図１は、この発明の実施の形態１によるエネルギー需給計画装置の構成を示すブロック図である。
図１において、エネルギー需給計画装置１は、ＬＮＧ基地（燃料基地）のタンクへの燃料受入およびタンクからの燃料払出を計画するもので、次のように構成されている。
タンクグルーピング手段２は、ＬＮＧ基地のタンクを、各タンクが受入タンクグループおよび払出タンクグループにそれぞれ属するように分ける。燃料受入タイミング決定手段３は、受入タンクグループへの燃料受入の開始および終了のタイミングを決定する。
燃料払出計画手段４は、払出タンクグループの各タンクの燃料の払出割合を予め定義した混合比テーブルを有し、燃料の受入と払出を同時に行えないＬＮＧ基地の場合に、この混合比テーブルにしたがって、払出タンクグループの各タンクからの燃料払出を計画する。
【００１１】
図２は、この発明の実施の形態１によるエネルギー需給計画装置のハードウェア構成を示す図である。
図２において、エネルギー需給計画装置１は、ＣＰＵ（Ｃｅｎｔｒａｌ  Ｐｒｏｃｅｓｓｉｎｇ  Ｕｎｉｔ）１１、ＲＯＭ（Ｒｅａｄ  Ｏｎｌｙ  Ｍｅｍｏｒｙ）１２、ＲＡＭ（Ｒａｎｄｏｍ  Ａｃｃｅｓｓ  Ｍｅｍｏｒｙ）１３を有している。
ＣＰＵ１１は、ＲＯＭ１２に格納されたプログラムを用いて、演算時の一時記憶にＲＡＭ１３を使用して、タンクグルーピング手段２、燃料受入タイミング決定手段３および燃料払出計画手段４の処理を実行する。
【００１２】
図４は、この発明の実施の形態１によるエネルギー需給計画装置のＬＮＧ基地のタンク受払運用の模擬方法を示す概要図である。
図４において、ＬＮＧ基地に属する各タンク２０１〜２０７を、燃料の受入対象タンクを管理する受入タンクグループ２０８〜２１０、および払出したＬＮＧの熱量を管理する払出タンクグループ２１１、２１２により分類する。
ＬＮＧ基地では、燃料受入の際、受け入れる燃料の熱量に応じて、受入対象タンクを選択し、燃料払出の際には、発電所が運転可能な燃料の熱量に基づいて、払出対象タンクの選択およびそれぞれの払出率を決定する。
【００１３】
受入タンクグループ２０８〜２１０は、燃料の熱量のパターン毎にタンクがグルーピングされたもので、エネルギー需給計画装置内において、受入対象タンクの決定に利用される。
払出タンクグループ２１１、２１２は、払出先毎にタンクがグルーピングされたもので、エネルギー需給計画装置内において、払出熱量の決定に利用される。
なお、燃料の受入中に払出可能なＬＮＧ基地では、燃料の受入・払出は、払出先に紐付くタンクで一斉に行われるため、受入タンクグループと払出タンクグループは等しくなる。
【００１４】
図５は、この発明の実施の形態１によるエネルギー需給計画装置のタンクの受入開始・終了タイミングおよび払出停止タイミングを決定する際の指標値を示す概要図である。
図５（ａ）は、受入タンクグループについての図、図５（ｂ）は、払出タンクグループについての図である。
図５において、受入タンクグループ／払出タンクグループをそれぞれ一つの大きなタンクであると想定している。一つの大きなタンクであると想定した受入タンクグループへの燃料受入の場合の受入タイミング開始量３０１と、受入タイミング終了量３０３を示している。運用上限３０４は、受入タンクグループ内の各タンクに設けられている。
予備力下限値３０２は、一つの大きなタンクであると想定した払出タンクグループからの払出の場合の燃料の熱量の下限値である。運用下限３０５は、払出タンクグループ内のタンク毎に設けられている。
【００１５】
図８は、この発明の実施の形態１によるエネルギー需給計画装置の払出タンクグループ毎の払出熱量の決定方法を定義した混合比テーブルを示す図である。
図８（ａ）は、一つの払出タンクグループが、燃料の熱量の異なる３つのタンクによって構成される場合の図で、タンクが３基、発電所受入最低熱量が５２０００［ＭＪ／ｔ］の場合で、タンクの燃料の熱量に応じ、高、中、低の３つのパターンに分類している。
図８（ｂ）は、混合比テーブルを示す図で、払出先の発電所が運転可能な最低熱量を超える比率の各パターンを定義している。
【００１６】
次に、動作について説明する。
図３を用いて、エネルギー需給計画装置の燃料需給計画の策定方法について説明する。
ステップＳ１０１で、電力の需要を満足するような燃料供給計画を策定し、ステップＳ１０２において、それに対応する燃料消費計画を策定する。
この策定した燃料消費計画を満足するよう、配船計画を決定するステップは、それ以降となる。
【００１７】
配船計画（ループ（１））は、後述するステップＳ１０３とステップＳ１０４を含む。
ステップＳ１０３は、配船計画の開始から終了までの各時間断面において実行され、このステップＳ１０３の実行結果に応じて、１隻以上のＬＮＧ船（燃料運搬手段）の配船を計画し、ステップＳ１０４が実行される。
ステップＳ１０４は、桟橋に入船するＬＮＧ船（燃料運搬手段）に対応したもので、ＬＮＧ船ごとに実行される。つまり、ステップＳ１０４は、入船するＬＮＧ船の数だけ繰り返し実行される（ループ（２））。
ステップＳ１０３は、受入タンクグループの受入開始タイミングを決定するフローである。このフローの詳細については後述する。
このステップＳ１０３により、燃料受入開始が決定された受入タンクグループに対するＬＮＧ船の配船計画を行なう。
そして、ＬＮＧ船ごとにステップＳ１０４が実行される。
ステップＳ１０４は、受入対象となる受入タンクグループを決定するフローである。このフローの詳細については後述する。
なお、ステップＳ１０２からステップＳ１０４の処理が、燃料の需要と供給の関係を表す燃料需給計画を策定するフロー（図３の点線で囲む部分）に相当する。
【００１８】
実施の形態１では、燃料需給計画策定時において、ＬＮＧ基地の実運用に沿った計画策定を行なうため、図３におけるステップＳ１０３およびステップＳ１０４を設けることで、エネルギー需給計画装置内におけるタンク運用の模擬を行なう。
ＬＮＧ基地のタンクは実運用上、タンクの燃料在庫がある程度低下した段階で、燃料の受入を行なう。この際、タンクの燃料受入は、任意の熱量の燃料が少なくなったときや、任意の払出先に払出できる燃料が少なくなったときなどに実施する。
図５において、タンクの燃料受入は、受入タンクグループ／払出タンクグループをそれぞれ一つの大きなタンクであると想定し、受入タンクグループに紐付く受入タイミング開始量３０１または払出タンクグループに紐付く予備力下限値３０２を下回る前に開始する。
この際、１回の入船で受入タイミング終了量３０３を超過しない場合は、再度、入船を計画するものとする。
【００１９】
また、燃料受入中の払出が不可能な基地では、タンク毎で燃料の残量が異なることから、タンク毎に残量を管理するための指標が必要である。そのため、受入タンクグループ内の各タンクにも運用上限３０４を設け、受入時に運用上限３０４を超過する場合は超過分を同受入タンクグループ内の他タンクへ受入し、全タンクが超過する場合は、転売もしくは破棄を行なう。
払出停止タイミングは、払出タンクグループ内のタンク毎に設けられた運用下限３０５を下回った時に、該当タンクの払出を停止するものとする。
【００２０】
次に、図６を用いて、図５の指標値に基づく、エネルギー需給計画装置内におけるタンク受入タイミングの決定方法について説明する。
これは、図３におけるステップＳ１０３において、実施されるものである。
【００２１】
ＬＮＧ基地では、燃料受入手続き・準備・片づけ等に時間を要する点から、ＬＮＧ船の入船に一定の間隔を設ける必要がある。
図６のステップＳ４０１で、前回の入船時期からどれほど時間が経過したかを判断し、受入可能と判断された場合のみ、ステップＳ４０２に移行する。
ステップＳ４０２では、１回の入船で受入タイミング終了量３０３を超過しなかった場合、受入タイミング開始量３０１および予備力下限値３０２に関わらず、再度入船を行なう。
【００２２】
前回の入船時期から十分に時間が経過しており、前回入船時において、受入タイミング終了量３０３を超過するまで燃料の受入が行われた場合については、ステップＳ４０３以降の処理となる。
ステップＳ４０３では、払出タンクグループの合計残量が予備力下限値３０２を下回った時、ステップＳ４０４では、受入タンクグループの合計残量が、受入タイミング開始量３０１を下回った時にそれぞれ燃料の受入を行なう。
【００２３】
次に、図７を用いて、エネルギー需給計画装置内におけるＬＮＧ船入船時の燃料受入を行なう受入タンクグループの決定方法について説明する。
このフローチャートは、図３におけるステップＳ１０４において実施されるものである。
【００２４】
ＬＮＧ基地は、タンクの燃料受入中の払出が可能であるか否かにより、受入対象タンクおよび払出対象タンク決定の形式が異なる。
図７のステップＳ５０１で、ＬＮＧ基地内のタンクが燃料受入中に払出を行なうことができるか否かを判断する。可能である場合は、ＬＮＧ船の燃料の熱量に対応する受入タンクグループが受入を行なうものとし、そうでない場合は、タンク毎に燃料の熱量および残量が異なるため、ステップＳ５０２に移行する。
【００２５】
ステップＳ５０２では、ＬＮＧ船により運ばれてきた燃料の熱量と、受入タンクグループ毎の燃料の熱量とを比較し、燃料の受入対象となるグループが複数あるか否かを判断する。対象となる受入タンクグループが単一の場合は、該当グループが受入を行なう。
燃料の受入対象となるグループが複数存在する場合は、ステップＳ５０３により、グループ単位での残量を比較して、残量が最小のグループが受入を行なう。
ステップＳ５０３において、残量が同程度の受入タンクグループが複数存在して、受入タンクグループが選定できない場合、グループ毎の優先順位に基づき、燃料の受入を行なうグループを決定する。
【００２６】
次に、タンクからの燃料払出について、図８を用いて説明する。
ＬＮＧ基地では、燃料の払出先の発電所が運転可能な燃料の最低熱量を超えるよう、タンクのＬＮＧポンプ運転台数を考慮することで、払出する燃料の熱量を制御する。
実施の形態１では、ＬＮＧポンプの運転台数比率を混合比という比率で模擬する。一つの払出タンクグループが、燃料の熱量の異なる３つのタンクによって構成される図８（ａ）のような例を考えた場合、払出先の発電所が運転可能な燃料の最低熱量を超える比率のパターンを、図８（ｂ）に示す混合比テーブルで定義する。
【００２７】
ＬＮＧ基地内のタンクが燃料の受入中に払出を行なうことができる場合、払出タンクグループ内の各タンクから均等に燃料の払出を行なう。
燃料の受入中に払出を行なうことができない場合については、図８（ｂ）に示すような混合比テーブルに沿って、異なる熱量の燃料を各タンクから払出し、混合することにより、払出先に対し燃料の払出を行なう。この際、タンクの燃料受入中は払出が行えないため、必要に応じ混合比を一時的に変更することで対処する。
【００２８】
実施の形態１によれば、燃料受入中に燃料の払出ができないＬＮＧ基地の燃料受入と燃料払出を計画することができる。
また、ＬＮＧ基地内のタンクグルーピングにより、燃料の熱量に応じた受入対象タンクおよび受入開始タイミング決定、払出先の発電所が運転可能な燃料の熱量に基づいた払出対象タンクおよびそれぞれの払出率決定について、模擬することができる。
また、受入対象タンク決定の際には、受入中の払出が可能であるか否かといったＬＮＧ基地毎に異なる運用制約についても考慮できるフローとすることで、エネルギー需給計画装置は、様々なＬＮＧ基地の実運用に沿った計画策定が可能となる。
【００２９】
実施の形態２．
図９は、この発明の実施の形態２によるエネルギー需給計画装置の構成を示すブロック図である。
図９において、符号１〜４は図１におけるものと同一のものである。図９では、エネルギー需給計画装置１に、燃料受入計画手段５を設けている。燃料受入計画手段５は、ＬＮＧ船の燃料の熱量が、ＬＮＧ基地の受入タンクグループの熱量と異なる場合に、後述する受入条件にしたがって、ＬＮＧ船から受入タンクグループへの燃料受入を計画する。
【００３０】
図１０は、この発明の実施の形態２によるエネルギー需給計画装置の燃料受入方法を示す図である。
図１０において、配船熱量と、受入タンクグループ内の燃料の熱量とが異なる場合について、燃料の受入条件を設定している。受入タンクグループの熱量（高、中、低）と配船熱量（高、中、低）のそれぞれの組み合わせについて、受入方法を定義している。
【００３１】
実施の形態１においては、実運用上における受入対象タンクおよび払出対象タンクの決定方法の違いや、ＬＮＧ基地毎の運用条件を踏まえた上で、ＬＮＧ燃料調達・供給ロジックを構成した。
実施の形態２は、ＬＮＧ船入船時の受入タンクグループの決定の際、配船の燃料の熱量が、どの受入タンクグループとも不一致となるとき、図１０に示す受入条件で受入を行なう。
【００３２】
図１０において、ＬＮＧ船によって運ばれてきた燃料の熱量を配船熱量とする。
配船熱量が高いときは、受入タンクグループ内の燃料の熱量が同じく高いか、もしくは中程度の場合に受入を行なう。配船熱量が低いときは、受入タンクグループ内の燃料の熱量が中程度もしくは低い場合に受入を行なう。配船熱量が中程度のときは、受入タンクグループ内の全熱量のレベルで受入できるものとした。
ただし、配船熱量の高い燃料を、中程度の燃料の受入タンクグループで受入する等、熱量の異なるタンクで受入を行なう場合には、受入タンクグループ内で残量が最小のタンクから受入を行なう。
【００３３】
実施の形態２によれば、配船熱量と受入タンクグループ内の燃料の熱量が異なる場合について、その受入条件を設定することにより、エネルギー需給計画装置は、実運用上の燃料受入について、より柔軟に計画できるものとした。
【００３４】
実施の形態３．
図１１は、この発明の実施の形態３によるエネルギー需給計画装置の構成を示すブロック図である。
図１１において、符号１〜５は図９におけるものと同一のものである。図１１では、エネルギー需給計画装置１に燃料受入タンク変更手段６（燃料受入タンク調整手段）を設けている。燃料受入タンク変更手段６は、燃料の受入と払出を同時に行えないＬＮＧ基地について、そのＬＮＧ基地がＬＰＧ添加による燃料調整が可能であるか否かに応じて、そのＬＮＧ基地からの燃料受入のタンクを変更する。
【００３５】
実施の形態２においては、配船熱量と受入タンクグループ内の燃料の熱量とが異なる場合に受入条件を設けることで、実運用上の燃料受入について柔軟に計画できるようにした。
実施の形態３は、燃料の受払が同時に行えないＬＮＧ基地の中でも、各タンクから払出され、気化したＮＧ（Ｎａｔｕｒａｌ  Ｇａｓ）にＬＰＧを添加することで、熱量調整を行なうことができるか否かによって、図７の方法で決定された受入対象タンクを変更するようにした。
【００３６】
次に、図１２を用いて、実施の形態３のＬＰＧによる熱量調整を考慮したときの受入タンクグループの決定方法について説明する。
燃料の受払が同時に行えないＬＮＧ基地において、燃料の払出を行なう際、燃料の熱量の最も高いタンクが燃料受入中である場合には、払出先の発電所が運転可能な燃料の熱量を払出できない可能性があり、ＬＰＧの添加ができるか否かが受入対象タンク選択に影響を与える。
ＬＰＧの添加ができないＬＮＧ基地では、払出先が運転可能な燃料の熱量を維持するため、熱量の最も高いタンクを払出用として確保するようなタンク運用を行なう必要がある。
【００３７】
図１２のステップＳ８０１で、ＬＰＧの添加が可能であるか否かを判断し、ＬＰＧの添加が可能であるなら、タンク間で混合比を調整できない場合においても、払出先の要求する熱量を払出できるため、受入対象タンクは変更しない。
ＬＰＧの添加ができない場合、ステップＳ８０２により、燃料の受入対象となっている受入タンクグループの燃料の熱量が、ＬＮＧ基地内で最も高いか否かを判断し、高い場合は、ステップＳ８０３に移行、そうでないなら、タンク間の混合比調整により、払出先が運転可能な熱量を払出できるものとし、受入対象タンクは変更しない。
【００３８】
ステップＳ８０３では、燃料の受入対象に選出された受入タンクグループが属する払出タンクグループ内において、同熱量の受入タンクグループが他に存在するか否かを判断する。
他に存在する場合、燃料の受入対象の受入タンクグループの熱量が最も高い場合であっても、同熱量の他のタンクによる払出ができるため、ステップＳ８０２と同様の理由により、受入対象タンクは変更しない。
【００３９】
他に存在しない場合は、ステップＳ８０４に移行し、燃料の受入対象に選出された受入タンクグループ内のタンクのうち、払出タンクグループまで等しいものが存在するか否かを判断する。
払出タンクグループまで等しいものが存在する場合、該当タンクを比較し、残量が最多のタンクを除いたタンクで燃料の受入を行なう。
払出タンクグループまで等しいものが存在しない場合については、燃料の払出用として熱量の最も高いタンクを確保することはできないものとし、受入対象タンクの変更はしない。
【００４０】
実施の形態３によれば、ＬＰＧ添加による燃料調整が可能であるか否かに応じて、受入対象タンクの変更を行なう処理を追加することで、ＬＰＧの添加ができない基地でも払出先が運転可能な燃料の熱量を維持するためのタンク運用について、エネルギー需給計画装置で計画することができる。
【００４１】
なお、本発明は、その発明の範囲内において、各実施の形態を自由に組み合わせたり、各実施の形態を適宜、変形、省略することが可能である。
【符号の説明】
【００４２】
１  エネルギー需給計画装置、２  タンクグルーピング手段、
３  燃料受入タイミング決定手段、４  燃料払出計画手段、５  燃料受入計画手段、
６  燃料受入タンク変更手段、１１  ＣＰＵ、１２  ＲＯＭ、１３  ＲＡＭ、
２０１〜２０７  タンク、２０８〜２１０  受入タンクグループ、
２１１〜２１２  払出タンクグループ、３０１  受入タイミング開始量、
３０２  予備力下限値、３０３  受入タイミング終了量、３０４  運用上限、
３０５  運用下限
【図１】
2018206276.tif 000003
【図２】
2018206276.tif 000004
【図３】
2018206276.tif 000005
【図４】
2018206276.tif 000006
【図５】
2018206276.tif 000007
【図６】
2018206276.tif 000008
【図７】
2018206276.tif 000009
【図８】
2018206276.tif 000010
【図９】
2018206276.tif 000011
【図１０】
2018206276.tif 000012
【図１１】
2018206276.tif 000013
【図１２】
2018206276.tif 000014